(57)【要約】【課題】屋根面への積雪荷重や側壁部分への風荷重の低減が可能であり上屋の経済的な構造設計が可能な上屋構造及び上屋を提供する。【解決手段】この上屋構造は、上屋１０に設けたシート１４を通常時に側壁シートとするとともに、降雪時に上屋の屋根部分１３に上架させて所定の積雪量ごとに側壁部分まで下降させることで屋根の除雪を可能とする。【選択図】図４
2007186867.tif 000002
【特許請求の範囲】
【請求項１】
上屋に設けたシートを通常時に側壁シートとするとともに、降雪時に上屋の屋根部分に上架させて所定の積雪量ごとに側壁部分まで下降させることで屋根の除雪を可能とすることを特徴とする上屋構造。
【請求項２】
上屋に設けたシートを通常時に側壁シートとするとともに、強風時に屋根面に引き上げることで側壁部分の風荷重の軽減を可能とすることを特徴とする上屋構造。
【請求項３】
前記シートは可動式に構成された請求項１または２に記載の上屋構造。
【請求項４】
前記シートに結束したロープを棟部分及び側壁部分に設けた巻取装置で巻き取ることで前記シートの上げ下げを行う請求項１，２または３に記載の上屋構造。
【請求項５】
前記シートの上端にシート端部の補強及び除雪のための立ち上がり部分を有する請求項１乃至４のいずれか１項に記載の上屋構造。
【請求項６】
前記シートは補強線材を織り込んだ膜材である請求項１乃至５のいずれか１項に記載の上屋構造。
【請求項７】
請求項１乃至６のいずれか１項に記載の上屋構造を備える上屋。
【発明の詳細な説明】
【技術分野】
【０００１】
本発明は、側壁シートを設けた上屋構造及び上屋に関する。
【背景技術】
【０００２】
従来、上屋は、その設置される場所の風荷重、積雪荷重をフルに見込んで構造設計されていた。また、降雪地域における従来の除雪方法は、下記特許文献１のようなエンドレスシートによる方法、下記特許文献２のように屋根面に温水を散水する方法、下記特許文献３のようにシート屋根で棟位置を上昇させ屋根勾配を変化させる方法、下記特許文献４のように袋状のものを膨張させる方法等が提案されている。また、下記特許文献５のように、雪が載った屋根上の網部を巻き取ることで雪を落とすようにした屋根の除雪装置が提案されている。
【特許文献１】実開昭６０−１８４９１６号公報
【特許文献２】実開昭６３−１７９３６９号公報
【特許文献３】実開昭６３−５８１５２号公報
【特許文献４】実開昭６３−１１９７６４号公報
【特許文献５】特開昭６０−１４１９５４号公報
【発明の開示】
【発明が解決しようとする課題】
【０００３】
しかしながら、上屋が多用される造船所等では、台風の通過もあり、また降雪の多い場所も存在するが、そのような場合に、上屋の構造設計が過剰になるきらいがあった。また、上述のような公知の除雪方法は、そのためだけに施設費用が必要となるもので、経済性の乏しいものであった。
【０００４】
本発明は、上述のような従来技術の問題に鑑み、屋根面への積雪荷重や側壁部分への風荷重の低減が可能であり上屋の経済的な構造設計が可能な上屋構造及び上屋を提供することを目的とする。
【課題を解決するための手段】
【０００５】
上記目的を達成するために、本発明による第１の上屋構造は、上屋に設けたシートを通常時に側壁シートとするとともに、降雪時に上屋の屋根部分に上架させて所定の積雪量ごとに側壁部分まで下降させることで屋根の除雪を可能とすることを特徴とする。
【０００６】
第１の上屋構造によれば、上屋のシートを通常時には側壁シートとして活用でき、降雪時には屋根面に引き上げ上架させて所定の積雪量ごとに側壁部分まで下降させることで屋根面への積雪荷重の低減が可能となり、上屋の経済的な構造設計が可能となる。また、夏場は日よけシートとして外壁部分にロールスクリーンの機能を持たせ、冬場は屋根の除雪のために使用することができる。
【０００７】
本発明による第２の上屋構造は、上屋に設けたシートを通常時に側壁シートとするとともに、強風時に屋根面に引き上げることで側壁部分の風荷重の軽減を可能とすることを特徴とする。
【０００８】
第２の上屋構造によれば、上屋のシートを通常時には側壁シートとして活用でき、強風時には屋根面に引き上げることで側壁部分の風荷重の軽減が可能となり、上屋の経済的な構造設計が可能となる。また、夏場は日よけシートとして外壁部分にロールスクリーンの機能を持たせ、冬場は屋根の除雪のために使用することも可能である。
【０００９】
上記第１及び第２の上屋構造において前記シートは可動式に構成されることが好ましい。この場合、前記シートに結束したロープを棟部分及び側壁部分に設けた巻取装置で巻き取ることで前記シートの上げ下げを行うように構成できる。
【００１０】
また、前記シートの上端にシート端部の補強及び除雪のための立ち上がり部分を有することが好ましい。また、前記シートは補強線材を織り込んだ膜材であることが好ましい。
【００１１】
本発明による上屋は、上述の上屋構造を備える。この上屋によれば、屋根面への積雪荷重や側壁部への風荷重の低減が可能であり経済的な構造設計が可能となる。
【発明の効果】
【００１２】
本発明の上屋構造及び上屋によれば、 屋根面への積雪荷重や側壁部分への風荷重の低減が可能であり上屋の経済的な構造設計が可能である。
【発明を実施するための最良の形態】
【００１３】
以下、本発明を実施するための最良の形態について図面を用いて説明する。図１は本実施の形態による上屋を示す正面図である。図２は図１の上屋を方向Ａから見た側面図である。
【００１４】
図１，図２の上屋１０は、複数本の柱１２の上部に上屋フレーム１１が接合され、上屋フレーム１１に屋根１３が架けられ、屋内作業が行われる造船所のドック２０を覆うようにして架構されている。
【００１５】
図１，図２のように、上屋１０の屋根１３全体を覆うように補強線材を織り込んだ膜材からなるシート１４が上架されている。シート１４の棟部分側の先端には略三角状に立ち上がり突き出た金物としての立ち上がり部１８が設けられており、シート１４の先端側を補強している。
【００１６】
シート１４は、上屋１０の両側壁部分をそれぞれ閉鎖できるように左右両側にそれぞれ設けられており、可動式に構成されている。即ち、シート１４には複数のワイヤシート緊結部１７により移動用ワイヤロープ１５（図１では破線で示す）がシート１４の内面側で結び付けられている。移動用ワイヤロープ１５は、柱１２の下部の側壁部３０（図２）側に配置されたワイヤ巻き取りウインチ１６により巻き取られる一方、上屋１０の棟部に設けられた別のワイヤ巻き取りウインチ１９で巻き取られるように両端で巻き取り可能になっている。
【００１７】
例えば、図１の状態で、ワイヤ巻き取りウインチ１６を回転駆動させて移動用ワイヤロープ１５を巻き取ることで、屋根１３に上架されたシート１４が図１の下方に移動して側壁シートとして側壁部３０を覆い閉鎖することができる。そして、この状態から別のワイヤ巻き取りウインチ１９を回転駆動させて移動用ワイヤロープ１５を巻き取ることで、シート１４を屋根１３に上架させることができる。
【００１８】
次に、図１，図２の上屋構造におけるシート１４の強風時の移動について図３を参照して説明する。図３は図１の上屋においてシートで側壁部分を閉鎖した通常使用時の状態を示す図（ａ）及び強風時に側壁部分を開放した状態を示す図（ｂ）である。
【００１９】
図１，図２の上屋１０の通常使用時には、ワイヤ巻き取りウインチ１６を回転駆動させて移動用ワイヤロープ１５を巻き取ることで、図３（ａ）のように、シート１４が下方に移動して側壁シートとして図２の側壁部３０を覆い閉鎖している。これにより、造船所内を側壁部分で略閉鎖することができる。
【００２０】
図３（ａ）の閉鎖状態において、強風時には、ワイヤ巻き取りウインチ１９を回転駆動させて移動用ワイヤロープ１５を巻き取ることで、図３（ｂ）のように、シート１４を屋根１３に上架させる。これにより、強風時にシート１４を屋根１３に引き上げることで側壁部３０を開放し、風荷重を低減させることができる。
【００２１】
次に、図１，図２の上屋構造におけるシート１４の降雪時の移動について図４を参照して説明する。図４は図１の上屋における積雪状態を示す図（ａ）及び除雪状態を示す図（ｂ）である。
【００２２】
降雪時には、まず、図３（ｂ）のように、シート１４を屋根１３に引き上げてシートで屋根１３を覆い、シート１４上に雪が積もるようにしておく。そして、図４（ａ）のように、雪Ｓがシート１４上に積もり、所定の積雪量となった時点で、ワイヤ巻き取りウインチ１６を回転駆動させて移動用ワイヤロープ１５を巻き取る。これにより、図４（ｂ）のように、シート１４が下方に移動し側壁部分まで移動することで、シート１４上の雪Ｓが落下する。このように、上屋１０において除雪を簡単に行うことができる。
【００２３】
また、図４（ａ）から図４（ｂ）のようなシート１４の移動に伴い、シート先端の立ち上がり部１８も軒先に向かって移動するが、このとき、立ち上がり部１８がシート１４上に積もった雪Ｓを押し付けるようにして移動するので、雪Ｓを効率的に落下させることができる。
【００２４】
以上のようにして、降雪時は屋根１３に引き上げておいたシート１４を一定の積雪量ごとに引き下げることで、屋根１３への積雪荷重の低減が可能となる。なお、図４（ｂ）のように除雪した後、シート１４を再び屋根１３に引き上げておき、再び雪が積もったら、同様の動作で除雪を行う。
【００２５】
上述のように、本実施の形態の上屋構造は、屋内作業を行う造船所等で使用される上屋において降雪時や強風時の上屋構造体への負荷を軽減して経済的な構造の上屋を実現できる。また、特に、造船所のドックでは肩部分の許容荷重が制限されており、軽快なフレーム構成による移動上屋が要求されるが、かかる要求を本実施の形態の上屋構造は満足することができる。
【００２６】
以上のように、本実施の形態によれば、可動式のシート１４により、強風時や積雪時に対応でき、降雪時や強風時の上屋構造体への負荷を軽減できるので、経済的な上屋の設計が可能となる。また、造船所等では、例えば、塗装工程ではブラスト処理で古い塗装を落とす作業もあり、そのような作業ではある程度の通風が必要となるが、このような作業目的で側壁部分を開閉させることもでき、有用である。
【００２７】
また、シート１４を日よけシートとして利用することもでき、一般建築物において、夏場は外壁部分にロールスクリーンの機能を持たせ、冬場は屋根に降雪する雪の除雪のために使用することも可能である。
【００２８】
以上のように本発明を実施するための最良の形態について説明したが、本発明はこれらに限定されるものではなく、本発明の技術的思想の範囲内で各種の変形が可能である。例えば、本発明の上屋構造は、造船所のドックに適用して好ましいが、本発明はこれに限定されるものではなく、他の工場や建築設備等に適宜適用して好ましいものである。
【００２９】
また、図１，図２では、シート１４を片面で１枚構成としたが、片面で２枚または３枚以上に構成してもよいことは勿論であり、それぞれワイヤ巻き取りウインチで移動用ワイヤロープを巻き取ることで独立して移動可能に構成できる。
【図面の簡単な説明】
【００３０】
【図１】本実施の形態による上屋を示す正面図である。
【図２】図１の上屋を方向Ａから見た側面図である。
【図３】図１の上屋においてシートで側壁部分を閉鎖した通常使用時の状態を示す図（ａ）及び強風時に側壁部分を開放した状態を示す図（ｂ）である。
【図４】図１の上屋における積雪状態を示す図（ａ）及び除雪状態を示す図（ｂ）である。
【符号の説明】
【００３１】
１０ 上屋
１１ 上屋フレーム
１２ 柱
１３ 屋根（屋根部分）
１４ シート
１５ 移動用ワイヤロープ
１６，１９ ワイヤ巻き取りウインチ（巻取装置）
１７ ワイヤシート緊結部
１８ 立ち上がり部
２０ ドック
３０ 側壁部（側壁部分）
Ｓ 雪
【図１】
2007186867.tif 000003
【図２】
2007186867.tif 000004
【図３】
2007186867.tif 000005
【図４】
2007186867.tif 000006